(57)【要約】【課題】相手部材の形状、組付け軌跡及び組付け方法に影響されず、車両用トリムと相手部材との接触箇所の見栄えを良くした車両用トリム構造を提供する。【解決手段】機器用カバー２０に設けられたフランジ部２４を内装カバー３０に接触させた車両用トリム構造Ｓであって、フランジ部２４が、内装カバー３０と接触する端部２４Ａが軟質材で形成されるとともに、端部２４Ａの接触面の断面形状が円弧状とされている。【選択図】図２
2020050102.tif 000002
【特許請求の範囲】
【請求項１】
車両用トリムに設けられたフランジ部を相手部材に接触させた車両用トリム構造であって、
前記フランジ部は、前記相手部材と接触する端部が軟質材で形成されるとともに、前記端部の接触面の断面形状が円弧状とされている、車両用トリム構造。
【請求項２】
前記フランジ部の前記端部は、意匠面側が平面状であり、反対側が円弧状である、請求項１に記載の車両用トリム構造。
【請求項３】
前記車両用トリムは車載機器用カバーであり、
前記相手部材は車両用内装カバーである、請求項１又は請求項２に記載の車両用トリム構造。
【請求項４】
前記フランジ部の前記端部が前記相手部材の外観面に接触している、請求項１〜３のいずれか１項に記載の車両用トリム構造。
【発明の詳細な説明】
【技術分野】
【０００１】
本発明は、車両用トリム構造に関する。
【背景技術】
【０００２】
特許文献１に開示された自動車用ドアトリムでは、ロアベースの上縁側フランジ部に、剛性を持たせるためほぼ全長に亘って厚肉部を形成している。そして、この厚肉部に段差を設けてフランジ部の上縁部にほぼ全長に亘り突条を形成し、この突条をセンタベースに形成されたアームレスト部に下方より圧着（接触）させている。これにより、ロアベースに反りや変形があっても、接触位置は変わらない効果がある。
【先行技術文献】
【特許文献】
【０００３】
【特許文献１】特許第３５７９５８８号公報
【発明の概要】
【発明が解決しようとする課題】
【０００４】
ところで、特許文献１に開示されたトリム構造では、センタベースの形状、ロアベースの組付け軌跡、及び組付け方法等によって接触部の内倒れや外倒れが生じて、ロアベースが大きな角度で沿ってしまい、隙間が発生し、ロアベースの表面側の奥まで視認可能となり、見栄えが低下する虞がある。
【０００５】
本発明は上記事実を考慮し、相手部材の形状、組付け軌跡及び組付け方法に影響されず、車両用トリムと相手部材との接触箇所の見栄えを良くした車両用トリム構造を提供することを課題とする。
【課題を解決するための手段】
【０００６】
本発明の第１態様の車両用トリム構造は、車両用トリムに設けられたフランジ部を相手部材に接触させた車両用トリム構造であって、前記フランジ部は、前記相手部材と接触する端部が軟質材で形成されるとともに、前記端部の接触面の断面形状が円弧状とされている。
【０００７】
第１態様の車両用トリム構造では、車両用トリムのフランジ部の相手部材と接触する端部を、軟質材で形成するとともに、当該端部の接触面の断面形状を円弧状としているため、相手部材の形状や相手部材との位置関係の不良等により、相手部材とフランジ部の端部との当たり方が変わっても、接触角度が略一定となるため、例えば、接触角度のバラつきが大きいものと比べて、車両トリムと相手部材との接触個所の見栄えがよくなる。
また、相手部材の形状、組付け軌跡及び組付け方法等によって、フランジ部が内倒れや外開き（外倒れ）の状態にあり、倒れ具合や開き具合に変化があっても、接触角度が略一定となるため、例えば、接触角度のバラつきが大きいものと比べて、車両トリムと相手部材との接触個所の見栄えが良くなる。
以上のことから、上記車両用トリム構造は、相手部材の形状、組付け軌跡及び組付け方法に影響されず、車両用トリムと相手部材との接触箇所の見栄えを良くすることができる。
【０００８】
本発明の第２態様の車両用トリム構造は、第１態様の車両用トリム構造において、前記フランジ部の前記端部は、意匠面側が平面状であり、反対側が円弧状である。
【０００９】
第２態様の車両用トリム構造では、フランジ部の相手部材と接触する端部の意匠面側を平面状とし、反対側を円弧状としていることから、フランジ部の上記端部を外側から見たときの見栄えが良くなる。これにより、車両用トリムと相手部材との接触箇所の見栄えを良くすることができる。
【００１０】
本発明の第３態様の車両用トリム構造は、第１態様又は第２態様の車両用トリム構造において、前記車両用トリムは車載機器用カバーであり、前記相手部材は車両用内装カバーである。
【００１１】
第３態様の車両用トリム構造では、車両用トリムとしての車載機器用カバーと相手部材としての車両用内装カバーとの接合箇所の見栄えが良くなる。
【００１２】
本発明の第４態様の車両用トリム構造は、第１態様〜第３態様のいずれか一態様の車両用トリム構造において、前記フランジ部の前記端部が前記相手部材の外観面に接触している。
【００１３】
第４態様の車両用トリム構造では、車両用トリムにおけるフランジ部の端部が相手部材の外観面に接触していることから、車両用トリムと相手部材との接合個所の見栄えを良くする効果がより向上する。
【発明の効果】
【００１４】
本発明によれば、相手部材の形状、組付け軌跡及び組付け方法に影響されず、車両用トリムと相手部材との接触箇所の見栄えを良くした車両用トリム構造を提供することができる。
【図面の簡単な説明】
【００１５】
【図１】本発明の一実施形態に係る車両用トリム構造を適用した車載機器用カバーと車両用内装カバーの斜視図である。
【図２】図１の２−２線断面図である。
【図３】図１に示す車載機器用カバーの分解斜視図である。
【図４】図１に示す車載機器用カバーを車載機器に取り付ける手順の一例を示す車載機器用カバーの斜視図である。
【図５】載機器用カバーのフランジ部の拡大断面図である。
【図６】車載機器用カバーのフランジ部の外開き状態を段階的に示すフランジ部の拡大断面図である。
【図７】車載機器用カバーのフランジ部の内倒れ状態を段階的に示すフランジ部の拡大断
【図８】車載機器用カバーのフランジ部の変形例を示す拡大断面図である。
【図９】車載機器用カバーのフランジ部の他の変形を示す拡大断面図である。
【図１０】車載機器用カバーのフランジ部の他の変形を示す拡大断面図である。
【図１１】車載機器用カバーのフランジ部の他の変形を示す拡大断面図である。
【発明を実施するための形態】
【００１６】
次に、本発明の一実施形態に係る車両用トリム構造を図１〜図７を用いて説明する。
【００１７】
［車両用トリム構造］
図１〜図３に示されるように、本実施形態の車両用トリム構造Ｓは、車両用トリムの一例としての車載機器用カバー２０（以下、適宜「機器用カバー２０」と記載する。）と、相手部材の一例としての車両用内装カバー３０（以下、適宜「内装カバー３０」と記載する。）と、を備えている。この車両用トリム構造Ｓは、車載機器用カバー２０と車両用内装カバー３０との接触箇所における見栄えを良くするためのトリム構造である。
なお、図中の矢印ＵＰは車両上方を指し、矢印ＦＲは車両前方を指し、矢印Ｒは車両右方を指している。
【００１８】
以下では、まず、車両用内装カバー３０について説明した後、車載機器用カバー２０については説明する。
【００１９】
（車両用内装カバー）
図１に示されるように、本実施形態の内装カバー３０は、車体の骨格を形成するフロントピラー３２を車室内側から覆うカバー部材である。この内装カバー３０には、フロントピラー３２から車室内に向けて延びるブラケット３４を通す開口３０Ａが形成されている。なお、ブラケット３４には、車載機器の一例としてのディスプレイ４０（又はモニタ）が取り付けられるようになっている。このディスプレイ４０には、例えば、車外の情報（映像）が表示されるようになっている。
【００２０】
（車載機器用カバー）
図１〜図３に示されるように、本実施形態の機器用カバー２０は、ブラケット３４及びディスプレイ４０の配線類を覆うカバー部材である。この機器用カバー２０は、ディスプレイ４０が嵌め込まれる枠状のフレーム部２２と、フレーム部２２から延出する筒状のフランジ部２４とを備えている。
【００２１】
フレーム部２２は、硬質な樹脂材料を枠状に形成したものであり、嵌め込んだディスプレイ４０との間に隙間が生じない大きさに形成されている。
【００２２】
フランジ部２４は、硬質な樹脂材料を筒状に形成したものであり、フレーム部２２と反対側の端部２４Ａ側を軟質な樹脂材料（例えば、ゴムやゴム様の弾性体）で形成している。なお、フランジ部２４の端部２４Ａが内装カバー３０の外観面３０Ｂに接触する部分である（図５〜図７参照）。
【００２３】
また、フランジ部２４は、端部２４Ａ近傍を除いて、フレーム部２２と同じ樹脂材料によって形成されている。なお、本発明は上記構成に限定されず、端部２４Ａを除くフランジ部２４がフレーム部２２と異なる樹脂材料で形成されてもよい。
【００２４】
本実施形態では、フランジ部２４とその端部２４Ａが二色成形で形成されている。なお、本発明はこの構成に限定されず、フランジ部２４とその端部２４Ａを後で接合する構成としてもよい。
【００２５】
また、図２及び図５に示されるように、フランジ部２４の端部２４Ａの接触面の断面形状は、円弧状とされている。具体的には、フランジ部２４の端部２４Ａは、意匠面２５側が平面状であり、反対側の面２６が略半円の円弧状である。
【００２６】
なお、機器用カバー２０は、図３に示されるように、２つのカバー部材１８、１９を接続して形成されているが、本発明はこの構成に限定されない。機器用カバー２０は、３つ以上のカバー部材を接続して構成してもよいし、単一のカバー部材で構成してもよい。
【００２７】
次に本実施形態の作用並びに効果について説明する。
車両用トリム構造Ｓでは、機器用カバー２０のフランジ部２４の端部２４Ａ、言い換えると、内装カバー３０の外観面３０Ｂ（車室側の面）と接触する端部２４Ａを、軟質材で形成するとともに、端部２４Ａの接触面の断面形状を円弧状としている。このため、内装カバー３０の形状や内装カバー３０との位置関係の不良等により、外観面３０Ｂとフランジ部２４の端部２４Ａとの当たり方が変わっても、接触角度θが略一定となるため、例えば、接触角度θのバラつきが大きいものと比べて、機器用カバー２０と内装カバー３０との接触個所の見栄えが良くなる。
【００２８】
また、車両用トリム構造Ｓでは、内装カバー３０の形状、組付け軌跡及び組付け方法等によって、図５〜図７に示されるように、フランジ部２４が内倒れや外開き（外倒れ）の状態にあり、倒れ具合や開き具合に変化があっても、接触角度θが略一定となる。このため、例えば、接触角度θのバラつきが大きいものと比べて、機器用カバー２０と内装カバー３０との接触個所の見栄えが良くなる。
【００２９】
以上のことから、車両用トリム構造Ｓは、内装カバー３０の形状、組付け軌跡及び組付け方法に影響されず、機器用カバー２０と内装カバー３０との接触箇所の見栄えを良くすることができる。また、上記車両用トリム構造Ｓにより、機器用カバー２０と内装カバー３０との間に隙間が生じるのが抑制されて、中見えが抑制される。
【００３０】
また、車両用トリム構造Ｓでは、フランジ部２４の端部２４Ａの意匠面２５側を平面状とし、反対側の面２６を円弧状としていることから、フランジ部２４の端部２４Ａを外側から見たときの見栄えが良くなる。これにより、機器用カバー２０と内装カバー３０との接触箇所の見栄えを良くすることができる。
【００３１】
さらに、車両用トリム構造Ｓでは、機器用カバー２０のフランジ部２４の端部２４Ａが内装カバー３０の外観面３０Ｂに接触していることから、機器用カバー２０と内装カバー３０との接合個所の見栄えを良くする効果がより向上する。
【００３２】
また、本実施形態の機器用カバー２０は、フランジ部２４とその端部２４Ａを二色成形で形成していることから、例えば、組立によってフランジ部２４を形成する構成と比べて、フランジ部２４の端部２４Ａの動き（内倒れや外開き時の動き）の見栄えが良くなる。
【００３３】
前述の実施形態では、フランジ部２４の端部２４Ａの意匠面２５側を平面状としているが、本発明はこの構成に限定されない。例えば、図８に示されるように、フランジ部２４の意匠面２５側を略半円の円弧状としてもよい。言い換えると、フランジ部２４の端部２４Ａの断面形状を玉縁形状としてもよい。この場合においても、本発明の主たる効果を得ることができる。
【００３４】
また前述の実施形態では、フランジ部２４の端部２４Ａを軟質な樹脂材料で形成しているが本発明はこの構成に限定されない。例えば、図９に示されるように、フランジ部２４全体を硬質な樹脂材料で形成し、フランジ部２４の端部２４Ａ側に薄肉部２７を形成する構成としてもよい。この構成とすることで、フランジ部２４は薄肉部２７を起点に変形しやすくなる。これにより、本発明の主たる効果に加え、フランジ部２４を同質の樹脂材料で形成することができるようになるため、製造工程が簡単となり、材料費も抑えることが可能となる。
【００３５】
前述の実施形態では、フランジ部２４の端部２４Ａの反対側の面２６を略半円の円弧状としている。これには、例えば、図１０に示されるように、端部２４Ａの内側が中空とされた端部２４Ａの形状が含まれる。なお、図１０に示される端部２４Ａの断面形状は略Ｊ字形状である。さらに、図１１に示されるように、断面Ｊ字形状の端部２４Ａに上述の薄肉部２７を形成してもよい。この場合においても、本発明の主たる効果を得ることができる。
【００３６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００３７】
Ｓ      車両用トリム構造
２０    車載機器用カバー（車両用トリム）
２２    フレーム部
２４    フランジ部
２４Ａ  端部
２５    意匠面
２６    反対側の面
２７    薄肉部
３０    車両用内装カバー（相手部材）
３０Ａ  開口
３０Ｂ  外観面
３２    フロントピラー
３４    ブラケット
４０    ディスプレイ
【図１】
2020050102.tif 000003
【図２】
2020050102.tif 000004
【図３】
2020050102.tif 000005
【図４】
2020050102.tif 000006
【図５】
2020050102.tif 000007
【図６】
2020050102.tif 000008
【図７】
2020050102.tif 000009
【図８】
2020050102.tif 000010
【図９】
2020050102.tif 000011
【図１０】
2020050102.tif 000012
【図１１】
2020050102.tif 000013